(57)【要約】【課題】  従来の伝統的スペイン式フラメンコ用カポタストでは装着に時間が掛かり、装着後、解放弦で調弦してもスペイン式フラメンコ用カポタストを装着した事により再度、調弦し直す手間がある。ギターネックに紐を縛り、木ペグとカポタスト本体の摩擦で固定する事でカポタスト本体を加圧し弦を押し下げる仕組みである。その結果、各弦にかかる圧力は均等にはならず、解放弦で調弦された状態であってもカポを設置した後、再度調弦し直す必要等の問題等があった。【解決手段】  指で弦をネックの指板に押さえて演奏する弦楽器に用いられるカポタストであって、ギターネック裏側からベルトを巻き付け、指板上に装着されるカポタスト本体と、ギター指板に弦を押付ける押付け部材であるプレスバーがあり、カポタスト本体中央部にはうちわ式のネジで弦に向かって進退量が調節出来る事を特徴とするスペイン式フラメンコ用カポタスト。【選択図】図１
2015225335.tif 000002
【特許請求の範囲】
【請求項１】
カポタスト本体中央部に貫通するようネジ穴を設け、カポタスト本体中央部には、うちわ式のネジをカポタスト本体中央部に取り付け、うちわ式ネジはプレスバーと連結するよう設け、プレスバーと連結したうちわ式ネジをカポタスト本体に貫通させながら、プレスバーの接続点はうちわ式ネジが回転できるように設け、プレスバー底面にはクッションを設け、ベルトはカポタスト本体の一端に接続させ、ベルトの他端にはフックを設け、ベルトを接続させたカポタスト本体の他端にはフックが掛かるように、フックの引っ掛け穴を設けた調弦しやすいスペイン式フラメンコ用カポタスト。
【発明の詳細な説明】
【技術分野】
【０００１】  本発明は、ギターを演奏する時に、移調する為に用いるスペイン式フラメンコ用カポタストで、これまでのスペイン式フラメンコ用カポタストの外観を保持しながら、装着時にチューニングの狂いを最小限に抑え、設置時間を短縮できるスペイン式フラメンコ用カポタストに関するものである。
【背景技術】
【０００２】  従来のスペイン式フラメンコ用カポタストはギターネックの周りに紐（ベルト）を巻き付け、木ペグでカポタスト本体との摩擦で木ペグを固定し、紐（ベルト）を木ペグで縛ることで弦を加圧する方式である為、各弦に掛かる圧力は均等にはならない。その結果、設置後は解放弦で調弦した音程が狂い易く、装着に時間が掛かっていた。【０００３】  カポタストの弦を直接押さえる面に、１弦から６弦までの各、定位置に、それぞれ異なる深さと幅の溝を設けているのも（特許文献１の図２）が知られている。【０００４】  種々のネック形状の弦楽器に的確にフィットさせることのできる汎用性の高いカポタストが知られている（特許文献２）。
【先行技術文献】
【特許文献】
【０００５】
【特許文献１】特開２００６−３８２９号公報
【特許文献２】特開２０１０−２０４４００号公報
【発明の概要】
【発明が解決しようとする課題】
【０００６】  図５で示したような従来型の伝統的スペイン式フラメンコ用カポタストでは装着に時間が掛かり、装着後、解放弦で調弦してもスペイン式フラメンコ用カポタストを装着した事により再度、調弦し直す手間がある。ギターネックに紐で縛り、木ペグをカポタスト本体中央部に設置された溝に差し込み、木ペグをまわす事で紐が縛られる。締め付けられた紐は木ペグとカポタスト本体の摩擦で固定され、カポタスト本体で弦を押し下げながら加圧する仕組みである。しかしながら、各弦にかかる圧力は均等にはならず、解放弦で調弦された状態であってもカポタストを設置した後、再度調弦し直す必要があった。木ペグと本体は摩擦力で固定されている事から演奏中でも紐が緩みカポタストが外れる事もある。これまでの伝統的なスペイン式フラメンコ用カポタストの愛用者は多いが、ライブや生演奏での使用はその調弦の困難さ、設置所要時間の長さ、演奏中にカポタスト本体が外れてしまう危険性などの理由から実際に使われることは少なかった。【０００７】以下、従来の伝統的スペイン式フラメンコ用カポタスト（図５）の構造を説明する。
イ）伝統的スペイン式フラメンコ用カポタスト本体（１３）の一端に接続させた紐（１２）を設ける
ロ）伝統的スペイン式フラメンコ用カポタスト本体（１３）に接続された紐（１２）の他端には木ペグ（１１）を設ける。
ハ）紐（１２）が接続された伝統的スペイン式フラメンコ用カポタスト本体（１３）の中央部には木ペグ（１１）が埋め込み出来る様に伝統的スペイン式フラメンコ用カポタスト本体中央部穴（１４）を設ける。
ニ）伝統的スペイン式フラメンコ用カポタスト本体（１３）の底面にはクッション（６）を設ける。
伝統的スペイン式フラメンコ用カポタストは以上のような構造である。【０００８】  伝統的スペイン式フラメンコ用カポタスト（図５）を使用するときは、紐（１２）をギターネック裏側に巻き付ける。紐（１２）の先端についた木ペグ（１１）を本体中央部に設けた伝統的スペイン式フラメンコ用カポタスト本体中央部穴（１４）に差し込む。その後、木ペグ（１１）を回転させる事でギターネックに巻き付けられた紐（１２）が縛られ、伝統的スペイン式フラメンコ用カポタスト本体（１３）が弦を押し下げる事で設置が可能になる。【０００９】  又、最近のスクリュー式のカポタスト（図６）では構造上、金属部分が露出しており、その印象がフラメンコの特徴でもある情熱的なイメージを損なう構造になっている。また、フラメンコ愛好家からはその機械的な構造から澆薄な印象を与え、伝統を重んじていないと指摘される等の問題もあった。【００１０】以下、図６で示した最近のスクリュー式のカポタストの構造を説明する。
イ）Ｕ字型をしたスクリュー式カポタスト本体（１８）を設ける。
ロ）スクリュー式カポタスト本体（１８）中央部にはダイヤル式ネジ（１７）を設け、スクリュー式カポタスト本体（１８）を貫通する様に設置する。
ハ）スクリュー式カポタスト本体（１８）中央に設置されたダイヤル式ネジ（１７）の先端にはネックサポート（１６）を設ける。
ニ）スクリュー式カポタスト本体（１８）が接続されたゴム式ホールドバー（１５）の他端にはホールドバー側フック（１９）を設ける。
ホ）ゴム式ホールドバー（１５）に接続されたスクリュー式カポタスト本体（１８）の他端には本体側フック（２０）を設ける。
図６で示した従来のスクリュー式のカポタストは以上のような構造である。【００１１】  図６で示したスクリュー式のカポタストを使用するときは、設置したいフレット上にゴム式ホールドバー（１５）をあてる。ゴム式ホールドバー（１５）にはホールドバー側フック（１９）があり、それをスクリュー式カポタスト本体（１８）の本体側フック（２０）と接続する。スクリュー式カポタスト本体（１８）中央部に設置されたダイヤル式ネジ（１７）をまわす事でネックサポート（１６）が押し上げられる事で設置が可能になる。【００１２】  従来は特許文献１では弦の太さにはばらつきが有る為、弦に掛かる圧力は均等ではない事や、弦とフレットとの間に生まれる圧力が散漫であり、外見が機械的で殺風景、フラメンコらしくない等の問題があった。【００１３】  従来は特許文献２ではギターネックの側面から押付部材を押し出す押出しネジによって構成されているため、弦に圧力は均等にはならない。外見が機械的で殺風景であり、フラメンコらしくない等の問題があった。
本発明は、以上の問題点を解決する為になされたものである。
【課題を解決するための手段】
【００１４】  カポタスト本体中央部に貫通するようネジ穴を設け、カポタスト本体中央部には、うちわ式ネジをカポタスト本体中央部に取り付け、うちわ式ネジはプレスバーと連結するよう設け、プレスバーと連結したうちわ式ネジをカポタスト本体に貫通させながら、プレスバーの接続点はうちわ式ネジが回転できるように設け、プレスバー底面にはクッションを設け、ベルトはカポタスト本体の一端に接続させ、ベルトの他端にはフックを設け、ベルトを接続させたカポタスト本体の他端にはフックが掛かるように、フックの引っ掛け穴を設けた調弦しやすいスペイン式フラメンコ用カポタスト。
【発明の効果】
【００１５】  本発明は１弦から６弦まで全ての弦を同時に、かつ同じ圧力で加圧する事で調弦機能を簡易化し、向上した点にある。カポタスト本体中央にうちわ式ネジがプレスバーと連結しており、加圧する時には１弦から６弦まで均一に圧力が掛かる。よってスペイン式フラメンコ用カポタスト設置後も解放弦で調弦したままの状態で移調でき、再度調弦する手間が省ける。押付け部分であるプレスバーはうちわ式ネジで進退量を調節出来る事から、例えば、他のフレットに移動させたい時はうちわ式ネジで押付部材を後退させて、ベルトはカポタスト本体に付けたまま移動でき、また弦を指板に的確な力で押さえつけるようにする事も出来る。その結果、本発明はライブ、生演奏などで調弦に使われる時間が限られている環境の中で素早く調弦できる事が可能になった。【００１６】  カポタスト本体中央部には伝統的なスペイン式カポタストに見られる木ペグに見立てたうちわ式ネジがあり、ギターネック裏側にはベルトがある。カポタスト本体中央部に閉まり具合を調整するネジや、ベルトでカポタスト本体を固定させる形状は伝統的なスペイン式フラメンコ用カポタストの外見と一致している。その結果、伝統的なスペイン式フラメンコ用カポタストの外見は損なわらないまま調弦機能を向上させる事が可能になった。伝統的なスペイン式カポタストの外見を維持する事で伝統継承派の愛好家から理解を得られ、アンダルシア地方特有文化であるアラベスク調様式の情緒を維持する事が出来、ライブや生演奏などで本発明を使用する事により演奏家は伝統的でより本格的なパフォーマンスが提供できる。
【図面の簡単な説明】
【００１７】
【図１】本発明の斜視図
【図２】本発明の使用状態を示す斜視図
【図３】本発明の側面図
【図４】本発明の使用状態図
【図５】従来の伝統的なスペイン式フラメンコ用カポタストを示す斜視図
【図６】従来のスクリュー式カポタストを示す斜視図
【発明を実施するための形態】
【００１８】  以下、本発明の実施の形態を説明する。
イ）デザインは伝統的スペイン式フラメンコ用カポタストの形状をしたカポタスト本体（２）の一端に接続させたベルト（４）を設ける
ロ）カポタスト本体（２）に接続されたベルト（４）を設け、カポタスト本体が接続されたその他端にはフック（５）を設ける。
ハ）ベルト（４）が接続されたカポタスト本体（２）の他端にはフック（５）がかかるようにフックの引っ掛け穴（７）を設ける。
ニ）カポタスト本体（２）中央にはネジ穴（８）を設ける。
ホ）プレスバー（３）と連結したうちわ式のネジ（１）がカポタスト本体（２）中央部のナット式のネジ穴（８）を貫通するよう設ける。
ヘ）うちわ式ネジ（１）とプレスバー（３）は接続しているが、うちわ式ネジ（１）とプレスバー（３）の接続面はうちわ式ネジ（１）が回転できるように設ける。
ト）プレスバー（３）の底面にはクッション（６）を設ける。
本発明は以上のような構造である。
【００１９】  本発明を使用するときは、ベルト（４）をギターネックの裏側に巻き付ける。ベルト（４）の先端にはフック（５）が設置してあり、そのフック（５）をカポタスト本体（２）のベルト（４）が固定されている他端に設置してあるフックの引っ掛け穴（７）へ引っ掛ける。カポタスト本体（２）をギターネックに設置後、うちわ式ネジ（１）をまわすことでプレスバー（３）がカポタスト本体（２）から離れていく。プレスバー（３）がカポタスト本体（２）から離れる事により、弦全体を同時に押さえることが可能になり、結果各弦に掛かる圧力が均等になる。なおプレスバー（３）の底面には弦と指板で出来る凹凸の差を還元する為、ゴムまたは革などでできたクッション（６）を敷く事でプレスバー（３）から効率的に圧力を加える事が出来る。これらによりカポ装着時に起きる調弦の狂いを最小限に抑える事が出来る。
【００２０】  カポタスト本体のデザインは従来スペイン式フラメンコ用カポタストでもその制作者の自由な発想により創作できるものである。本発明でもカポタスト本体のデザインは、その構造上どういったデザインでも機能には影響されない事から自由な発想でいろいろなカポタスト本体のデザインが可能である。
【符号の説明】
【００２１】１  うちわ式ネジ、２  カポタスト本体、３  プレスバー、４  ベルト、５  フック、６  クッション、７  フックの引っ掛け穴、８  ネジ穴  ９  ギターネック、１０  ギター弦、１１  木ペグ、１２  紐、１３  伝統的スペイン式フラメンコ用カポタスト本体，１４  伝統的スペイン式フラメンコ用カポタスト本体中央部穴、１５  ゴム式ホールドバー、１６  ネックサポート、１７  ダイヤル式ネジ、１８  スクリュー式本体、１９  ホールドバー側フンク、２０  本体側フック
【図１】
2015225335.tif 000003
【図２】
2015225335.tif 000004
【図３】
2015225335.tif 000005
【図４】
2015225335.tif 000006
【図５】
2015225335.tif 000007
【図６】
2015225335.tif 000008